(57)【要約】【課題】  取り付け部周辺に突出部などが存在して従来品の実装が煩雑な場合や、多様な形状の差し込みプラグに対応するケーブル抜け止め器具を提供する。【解決手段】  差し込みプラグを先端に有するケーブルと、前記差し込みプラグを挿入するコネクタ部とを備えたケーブル接続部に適用され、前記コネクタ部からの前記ケーブルの抜けを防止するケーブル抜け止め器具であって、前記コネクタ部または前記コネクタ部の周囲に開口されたねじ穴に螺合する雄ねじが一端に形成され、前記差し込みプラグ挿入方向に延長する支柱と、前記差し込みプラグまたは前記ケーブルを掛け止めする切り欠き部と、前記支柱が通過可能な通し穴とが形成され、前記支柱によって回動可能に支持された係止片とを有し、前記ケーブルの抜け方向に外力がかかると、前記係止片は前記支柱の延長方向に傾斜して前記通し穴の開口端が前記支柱を挟み込み、前記係止片が前記外力に抵抗して前記ケーブルの抜けを阻止することを特徴とする。【選択図】    図１
2005093290.tif 000002
【特許請求の範囲】
【請求項１】
差し込みプラグを先端に有するケーブルと、前記差し込みプラグを挿入するコネクタ部とを備えたケーブル接続部に適用され、前記コネクタ部からの前記ケーブルの抜けを防止するケーブル抜け止め器具であって、
前記コネクタ部または前記コネクタ部の周囲に開口されたねじ穴に螺合する雄ねじが一端に形成され、前記差し込みプラグ挿入方向に延長する支柱と、
前記差し込みプラグまたは前記ケーブルを掛け止めする切り欠き部と、前記支柱が通過可能な通し穴とが形成され、前記支柱によって回動可能に支持された係止片とを有し、
前記ケーブルの抜け方向に外力がかかると、前記係止片は前記支柱の延長方向に傾斜して前記通し穴の開口端が前記支柱を挟み込み、前記係止片が前記外力に抵抗して前記ケーブルの抜けを阻止することを特徴とするケーブル抜け止め器具。
【請求項２】
前記係止片の前記コネクタ部との対向面には、前記差し込みプラグと当接して前記係止片を前記支柱の延長方向に傾斜させるスペーサーが設けられていることを特徴とする請求項１に記載のケーブル抜け止め構造。
【請求項３】
差し込みプラグを先端に有するケーブルと、前記差し込みプラグを挿入するコネクタ部とを備えたケーブル接続部に適用され、前記コネクタ部からの前記ケーブルの抜けを防止するケーブル抜け止め器具であって、
前記コネクタ部または前記コネクタ部の周囲に開口されたねじ穴に螺合する雄ねじが一端に形成され、前記差し込みプラグ挿入方向に延長する支柱と、
弾性変形部を介して連絡された第１板材および第２板材を備え、前記支柱によって回動可能に支持された係止部材とを有し、
前記弾性変形部は、前記第１板材および前記第２板材を離間方向に付勢し、
前記第１板材および前記第２板材は、前記差し込みプラグまたは前記ケーブルを掛け止めする切り欠き部と、前記支柱が通過可能な通し穴とがそれぞれ対応する位置に形成され、
前記弾性変形部の付勢により、前記第１板材および前記第２板材の少なくとも一方が前記支柱の延長方向に傾斜して前記通し穴の開口端が前記支柱を挟み込み、前記係止部材が前記外力に抵抗して前記ケーブルの抜けを阻止することを特徴とするケーブル抜け止め器具。
【請求項４】
前記係止部材が、可撓性を有する１枚の板状体を折り曲げて形成されてなることを特徴とする請求項３に記載のケーブル抜け止め構造。
【請求項５】
前記第１板材と前記第２板材とに挟まれた前記係止部材の内側には、前記第１板材および前記第２板材の位置を、各板材の前記通し穴および前記切り欠き部の中心位置が一致する位置に案内するストッパーが設けられていることを特徴とする請求項３または請求項４に記載のケーブル抜け止め構造。
【請求項６】
前記支柱の他端には、前記係止片または前記係止部材の抜け止め突起が形成されていることを特徴とする請求項１から請求項５のいずれか１項に記載のケーブル抜け止め構造。
【請求項７】
前記切り欠き部の内周面には、前記切り欠き部の空間を挟んで対向配置される２つの突起部が形成されていることを特徴とする請求項１から請求項６のいずれか１項に記載のケーブル抜け止め構造。
【請求項８】
前記支柱の断面形状が円形または正多角形であり、前記通し穴の形状が前記支柱の断面形状と相似形であることを特徴とする請求項１から請求項７のいずれか１項に記載のケーブル抜け止め構造。
【請求項９】
前記支柱の断面形状および前記通し穴の形状が円形または正多角形であり、前記支柱の断面形状と前記通し穴の形状とがそれぞれ異なることを特徴とする請求項１から請求項７のいずれか１項に記載のケーブル抜け止め構造。
【請求項１０】
前記支柱の表面に溝を形成したことを特徴とする請求項１から請求項９のいずれか１項に記載のケーブル抜け止め構造。
【発明の詳細な説明】
【技術分野】
【０００１】
本発明は、電子機器のケーブルの誤抜けを防止するケーブル抜け止め器具に関し、特に着脱型の電源ケーブルの接続に好適なケーブル抜け止め器具に関するものである。
【背景技術】
【０００２】
従来から、パソコン、ワークステーション等の電子機器において、歩行者が電源ケーブルを引っ掛けて電源ケーブルが装置から抜けてしまい、データが消失する事故がしばしば発生することがある。
このような電源ケーブルの誤抜け対策として、特許文献１では、コネクタ部両側のねじ穴に一対の締付具を螺合し、差し込みプラグを掛け止める凸型部を中心に有する針金状ばね部材を、この締付具で両側から枢支してなるコンセント用ロック部材が開示されている。
【０００３】
また、特許文献２では、ハット形状のハウジングを差し込みプラグの接続部の外側を覆うように取り付けたケーブル抜け防止構造が開示されている。
【特許文献１】特開平６−５３３１号公報
【特許文献２】特開平１０−９２５１１号公報
【発明の開示】
【発明が解決しようとする課題】
【０００４】
しかし、上記の特許文献１および特許文献２に開示の技術では、以下のような不都合があり、この点でなお改善の余地があった。
（１）特許文献１では差し込みプラグを抜き差しする場合には針金状ばね部材を跳ね上げるように回動させる必要がある。しかし、差し込みプラグの周辺に突出部などが存在する場合には針金状ばね部材の動きが制限され、このコンセント用ロック部材を実装することができない場合もある。同様に、特許文献２でも差し込みプラグの周辺に突出部などが存在する場合には、ハウジングの取り付けが非常に困難であってケーブル抜け防止構造を実装できない場合もある。
【０００５】
（２）特に特許文献１のコンセント用ロック部材では、締付具に針金状ばね部材を取り付けるためには両側の締付具の穴の位置を合わせる必要があり、その取り付け作業が煩雑であった。
（３）特許文献１および特許文献２では、差し込みプラグの形状、特に差し込みプラグの長さが異なる場合には機能しないため、差し込みプラグの種類毎に異なる製品を用意しなければならず、結果的に膨大な種類の製品を取り揃えなければならない。またユーザーも膨大な種類の製品から適切な形状の製品を選択する必要があるので非常に煩雑であった。
【０００６】
本発明は上記従来技術の課題を解決するためにされたものであり、その目的は、電源プラグの周辺に突出部などが存在する場合でも比較的容易に実装でき、かつ取り付け作業も簡易なケーブル抜け止め器具を提供することである。
また、本発明の他の目的は、多様な形状の電源プラグに対応するケーブル抜け止め器具を提供することである。
【課題を解決するための手段】
【０００７】
請求項１の発明は、差し込みプラグを先端に有するケーブルと、前記差し込みプラグを挿入するコネクタ部とを備えたケーブル接続部に適用され、前記コネクタ部からの前記ケーブルの抜けを防止するケーブル抜け止め器具であって、前記コネクタ部または前記コネクタ部の周囲に開口されたねじ穴に螺合する雄ねじが一端に形成され、前記差し込みプラグ挿入方向に延長する支柱と、前記差し込みプラグまたは前記ケーブルを掛け止めする切り欠き部と、前記支柱が通過可能な通し穴とが形成され、前記支柱によって回動可能に支持された係止片とを有し、前記ケーブルの抜け方向に外力がかかると、前記係止片は前記支柱の延長方向に傾斜して前記通し穴の開口端が前記支柱を挟み込み、前記係止片が前記外力に抵抗して前記ケーブルの抜けを阻止することを特徴とする。
【０００８】
請求項２の発明は、請求項１の発明において、前記係止片の前記コネクタ部との対向面には、前記差し込みプラグと当接して前記係止片を前記支柱の延長方向に傾斜させるスペーサーが設けられていることを特徴とする。
請求項３の発明は、差し込みプラグを先端に有するケーブルと、前記差し込みプラグを挿入するコネクタ部とを備えたケーブル接続部に適用され、前記コネクタ部からの前記ケーブルの抜けを防止するケーブル抜け止め器具であって、前記コネクタ部または前記コネクタ部の周囲に開口されたねじ穴に螺合する雄ねじが一端に形成され、前記差し込みプラグ挿入方向に延長する支柱と、弾性変形部を介して連絡された第１板材および第２板材を備え、前記支柱によって回動可能に支持された係止部材とを有し、前記弾性変形部は、前記第１板材および前記第２板材を離間方向に付勢し、前記第１板材および前記第２板材は、前記差し込みプラグまたは前記ケーブルを掛け止めする切り欠き部と、前記支柱が通過可能な通し穴とがそれぞれ対応する位置に形成され、前記弾性変形部の付勢により、前記第１板材および前記第２板材の少なくとも一方が前記支柱の延長方向に傾斜して前記通し穴の開口端が前記支柱を挟み込み、前記係止部材が前記外力に抵抗して前記ケーブルの抜けを阻止することを特徴とする。
【０００９】
請求項４の発明は、請求項３の発明において、前記係止部材が、可撓性を有する１枚の板状体を折り曲げて形成されてなることを特徴とする。
請求項５の発明は、請求項３または請求項４の発明において、前記第１板材と前記第２板材とに挟まれた前記係止部材の内側には、前記第１板材および前記第２板材の位置を、各板材の前記通し穴および前記切り欠き部の中心位置が一致する位置に案内するストッパーが設けられていることを特徴とする。
【００１０】
請求項６の発明は、請求項１から請求項５の発明において、前記支柱の他端には、前記係止片または前記係止部材の抜け止め突起が形成されていることを特徴とする。
請求項７の発明は、請求項１から請求項６の発明において、前記切り欠き部の内周面には、前記切り欠き部の空間を挟んで対向配置される２つの突起部が形成されていることを特徴とする。
【００１１】
請求項８の発明は、請求項１から請求項７の発明において、前記支柱の断面形状が円形または正多角形であり、前記通し穴の形状が前記支柱の断面形状と相似形であることを特徴とする。
請求項９の発明は、請求項１から請求項７の発明において、前記支柱の断面形状および前記通し穴の形状が円形または正多角形であり、前記支柱の断面形状と前記通し穴の形状とがそれぞれ異なることを特徴とする。
【００１２】
請求項１０の発明は、請求項１から請求項９の発明において、前記支柱の表面に溝を形成したことを特徴とする。
【発明の効果】
【００１３】
本発明のケーブル抜け止め器具では、ケーブルの抜け方向に外力がかかった場合、コネクタ部に掛け止めされた係止片または係止部材が外力に抵抗し、ケーブルの抜けが阻止される。
また、本発明のケーブル抜け止め器具の取り付けは、コネクタ部等に支柱をねじ込んで係止片または係止部材を掛け止めするだけで完了するのでその作業は容易である。しかも、係止片または係止部材の掛け止めはコネクタ部から離れた位置で行われるので、コネクタ部の周囲に突出部が存在する場合でも実装が容易である。
【００１４】
さらに、本発明のケーブル抜け止め器具では、コネクタ部の長さが異なる場合でも係止片または係止部材の位置を調整して取り付けることができ、多様なコネクタ部に対応することができる。
【発明を実施するための最良の形態】
【００１５】
以下、図面に基づいて本発明の実施の形態を詳細に説明する。
（第１実施形態の構成）
図１から図５は、本発明の第１実施形態のケーブル抜け止め器具を示す図である（請求項１、請求項２、請求項６から請求項１０に対応する）。第１実施形態のケーブル抜け止め器具は、差し込みプラグ２０を先端に有するケーブル２１と、差し込みプラグ２０を挿入するコネクタ部２２とを備えたケーブル接続部に適用され、コネクタ部２２からのケーブル２１の抜けを防止する。なお、差し込みプラグ２０のケーブル取付側には、蛇腹状のケーブル保護部２４が差し込みプラグ２０と一体に設けられている。
【００１６】
第１実施形態のケーブル抜け止め器具は、支柱１と、係止片２とを組み合わせて構成される。
支柱１は円形断面の棒状体であって、一端に雄ねじ３が設けられ、他端にはねじ頭４が形成されている。この雄ねじ３は、コネクタ部２２またはコネクタ部２２の周囲に形成されたねじ穴２３に螺合される。なお、特に限定するものではないが、支柱１の表面にはローレット加工等で溝５を施して滑り止めするのが好適である。
【００１７】
係止片２は１枚の板状体であって、切り欠き部６および通し穴７が形成されている。
切り欠き部６は、係止片２の中心付近を、周縁部から内側に向けて略Ｃ字状に切り欠いて形成されている。この切り欠き部６の幅は、差し込みプラグ２０のケーブル保護部２４またはケーブル２１が収まる幅に設定され、ケーブル保護部２４またはケーブル２１に係止片２を掛け止めできるようになっている。また、切り欠き部６の入口側（係止片周縁部付近）には、内周面から突出する２つの突起部８、８が切り欠き部６の空間を挟んで対向状態で形成されている。
【００１８】
通し穴７は、係止片２の切り欠き部６の側方に、係止片２の垂直方向に沿って開口された円形の穴である。通し穴７の寸法は支柱１の外径より大きく、かつねじ頭４の大きさよりも小さい径に設定されている。したがって、通し穴７には支柱１を挿通できる一方で、支柱１のねじ頭４は通し穴７を通過できず、支柱１に係止片２を取り付けた場合には係止片２がねじ頭４で抜け止めされる。
【００１９】
また、係止片２のコネクタ部との対向面には、差し込みプラグ２０に対応する位置にスペーサー９が配置されている。このスペーサー９は、係止片２の自由端（切り欠き部６を隔てて通し穴７に対向する端部）側が、その反対側よりも突出する形状をなしている。したがって、ケーブル抜け止め器具を取り付けた状態では、差し込みプラグ２０とスペーサー９とが当接することで、係止片２の自由端側が差し込みプラグ２０の抜け方向に傾斜した状態となる。
【００２０】
第１実施形態のケーブル抜け止め器具の取り付けでは、まず係止片２の通し穴７に支柱１を挿通する。次に支柱１をコネクタ部２２またはコネクタ部２２の周囲のねじ穴２３に螺合して、差し込みプラグ挿入方向に延長するように支柱１を取り付ける。
図４は支柱１に対して係止片２が垂直に配置された状態を示す図である。係止片２は支柱に回動可能に支持されており、支柱１に沿って係止片２を摺動させることで支柱延長方向の位置調整をすることが可能である。したがって、差し込みプラグ２０の長さが異なる場合でも、係止片２の支柱延長方向の位置調整で対応することができる。なお、この状態において係止片２は支柱１のねじ頭４で抜け止めされる。
【００２１】
そして、係止片２を回動させて、係止片２の切り欠き部６にケーブル保護部２４またはケーブル２１を挿入して掛け止めする。切り欠き部６の入口側には突起部８、８が形成されて幅狭となっているので、掛け止めされたケーブル保護部２４等は突起部８、８に阻まれて容易に抜けることはない。
その後、スペーサー９と差し込みプラグ２０とが接触する位置まで、係止片２を差し込みプラグ２０の方向へ押し込んで、係止片２を支柱延長方向に傾斜させてケーブル抜け止め器具の取り付けが完了する。
【００２２】
図５は係止片２が支柱延長方向に傾斜配置された状態（ケーブル抜け止め器具の上記取り付け状態）を示す図である。係止片２が傾斜した状態では、通し穴７の表裏の開口端の２点がそれぞれ支柱１と接触し、通し穴７の開口端で支柱１が両側から挟まれることで係止片２が固定される。さらに、この状態でケーブル２１に抜け方向の外力がかかると、差し込みプラグ２０が係止片２を押圧することで係止片２の傾斜角度がより大きくなり、係止片２が支柱１を強く挟みこんで外力に抵抗する。これによりコネクタ部２２からのケーブル２１の抜けが阻止される。
【００２３】
（第１実施形態の変形例）
図６から図８は第１実施形態の支柱１および通し穴７の変形例を示した図である。図６の例は支柱１および通し穴７を相似形の正六角形としたものである。図６の例では、支柱１の断面形状は通し穴７に内接する六角形よりやや小さめに設定され、係止片２が支柱１を中心に回動できるようになっている。図６の場合における係止片２の傾斜状態では、通し穴７の開口端と支柱１とが４箇所で点接触するので、より大きな抜け方向の外力に抵抗できる。
【００２４】
また、図７の例も支柱１および通し穴７を相似形の正六角形としたものであり、支柱１の断面形状を図６の例よりも大きくした例である。この場合、係止片２の傾斜状態では通し穴７の開口端と支柱とが４辺で接触するので、図６の場合よりもさらに大きな抜け方向の外力に抵抗できる。なお、図７の例では、係止片２が支柱１を中心に回転できないので、支柱１ごと係止片２を回転させて係止片２をケーブル保護部２４等に掛け止めする。
【００２５】
さらに、図８は支柱断面を正六角形とし、通し穴７を円形とした例である。この場合でも図６の例と同様の効果を得ることができる。
（第１実施形態の効果）
第１実施形態のケーブル抜け止め器具では、係止片２が支柱１の延長方向に傾斜することで通し穴７の開口端が支柱１を挟み込む。そのため、支柱１に固定された係止片２によってケーブル２１の抜けが阻止される。特に、ケーブル２１の抜け方向に外力がかかった場合、通し穴７の開口端がより強く支柱１を挟み込むためその効果が大きくなる。
【００２６】
また、第１実施形態のケーブル抜け止め器具の取り付け作業は、ねじ穴２３に支柱１をねじ込んで、係止片２を掛け止めするだけで完了する。しかも、係止片２の掛け止めはコネクタ部２２から離れた位置で行うことができ、コネクタ部２２の周囲に突出部が存在する場合でも取り付けの妨げにはならない。
さらに、第１実施形態では、係止片２の位置を支柱延長方向で調整することができるので、コネクタ部２２の長さが異なる場合でも１つのケーブル抜け止め器具で対応できる。
【００２７】
（第２実施形態）
図９から図１２は、第２実施形態のケーブル抜け止め器具を示す図である（請求項３から請求項６、請求項８、請求項１０に対応する）。第２実施形態において第１実施形態と同様の構成には、同一符号を付して説明を省略する。なお、第２実施形態の効果は第１実施形態とほぼ同様であるので説明を省略する。
【００２８】
第２実施形態のケーブル抜け止め器具は、支柱１と、係止部材１０とを組み合わせて構成される。係止部材１０は、第１板材１１、第２板材１２および弾性変形部１３を備えており、第１板材１１の一端と第２板材１２の一端とが弾性変形部１３を介して連絡されている。弾性変形部１３は、第１板材１１および第２板材１２の他端を離間方向に付勢している。なお、図９に示すように、係止部材１０は可撓性を有する１枚の板状体（板バネ、板状に成形された樹脂など）をＶ字状に折り曲げて形成するのが好ましい。
【００２９】
また、係止部材１０には切り欠き部６および通し穴７が形成されている。切り欠き部６は、第１板材１１および第２板材１２を弾性変形部１３から内側に向けて略Ｃ字状に切り欠いて形成されている。
また、通し穴７は、第１板材１１および第２板材１２にそれぞれ開口される。２つの通し穴７の位置は対応しており、係止部材１０を支柱１が挿通できるようになっている。なお、第１板材１１の通し穴７は第２板材１２の長手方向に沿った長穴となっている。これは、第１板材１１および第２板材１２の他端をつまんで接近させる場合に、第１板材１１の通し穴７が支柱１に干渉することを防止するためである。
【００３０】
さらに、第２板材１２の内側面（第１板材との対向面）にはストッパー１４が形成されている。このストッパー１４の形状は、各板材の切り欠き部６および通し穴７の中心位置が一致する位置で第１板材に当接するように設定されている。
第２実施形態のケーブル抜け止め器具の取り付けでは、まず係止部材１０の各通し穴７に支柱１を挿通する。次に支柱１をコネクタ部２２またはコネクタ部２２の周囲のねじ穴２３に螺合して、差し込みプラグ挿入方向に延長するように支柱１を取り付ける。そして、係止部材１０の切り欠き部６にケーブル２１を挿入して掛け止めし、ケーブル抜け止め器具の取り付けが完了する。
【００３１】
ここで、取り付け後の係止部材１０は、第１板材１１および第２板材１２が弾性変形部１３によって離間方向に付勢され、第１板材１１は支柱延長方向に傾斜した状態となる。そして、第１板材１１および第２板材１２の通し穴７の開口端で支柱１が挟み込まれて、係止部材１０は支柱１に固定される（図１１参照）。したがって、ケーブル２１に抜け方向の外力がかかっても、支柱１を挟み込んだ係止部材１０が外力に抵抗してケーブル２１の抜けが阻止される。
【００３２】
一方、第１板材１１および第２板材１２の他端をつまんで接近させた場合には、第１板材１１にストッパー１４が当接して各板材の切り欠き部６および通し穴７の中心位置が一致する状態となる。この状態では、第１板材１１および第２板材１２の通し穴７が支柱１に干渉せず、係止部材１０を支柱延長方向に摺動させて位置調整を行うことができる。また支柱１を中心として係止部材１０を回動させることもできる（図１２参照）。
【００３３】
（実施形態の補足事項）
以上、本発明を上記の実施形態によって説明してきたが、本発明の技術的範囲は上記実施形態に限定されるものではない。例えば、支柱の断面形状および通し穴の形状は上記実施形態に限定されるものではなく、正方形、五角形などの他の相似形状の組み合わせや、多角形の通し穴と円形支柱の異なる形状の組み合わせにしてもよい。また、通し穴の形状と支柱の断面形状とを形状の異なる多角形にしてもよい。
【００３４】
さらに、第１実施形態のスペーサーは、係止片を支柱延長方向に傾斜させるものであれば、例えば、係止片の自由端側のみに突起を設ける等の手段によってもよい。さらにまた、第１実施形態および第２実施形態では支柱のねじ頭で係止片または係止部材の抜け止めをしているが、支柱の他端にピンなどを挿入して抜け止め突起としてもよい。
【産業上の利用可能性】
【００３５】
本発明のケーブル抜け止め器具は、取り付け部周辺に突出部などが存在して従来品の実装が煩雑な場合や、多様な形状の差し込みプラグに対応するケーブル抜け止め器具を実現する場合に好適である。
【図面の簡単な説明】
【００３６】
【図１】第１実施形態のケーブル抜け止め器具の平面図である。
【図２】第１実施形態のケーブル抜け止め器具の側面図である。
【図３】第１実施形態の係止片の回動状態を示す図である。
【図４】（ａ）は支柱に対して係止片が垂直に配置された状態を示す側面図であり、（ｂ）は（ａ）の支柱と通し穴の位置関係を示す図である。
【図５】（ａ）は支柱に対して係止片が支柱延長方向に傾斜した状態を示す側面図であり、（ｂ）は（ａ）の支柱と通し穴の位置関係を示す図である。
【図６】第１実施形態の支柱および通し穴の変形例について、支柱および通し穴の位置関係を示す図である。
【図７】第１実施形態の支柱および通し穴の変形例について、支柱および通し穴の位置関係を示す図である。
【図８】第１実施形態の支柱および通し穴の変形例について、支柱および通し穴の位置関係を示す図である。
【図９】第２実施形態の係止部材の斜視図である。
【図１０】図９の正面図である。
【図１１】第２実施形態のケーブル抜け止め器具の取り付け状態を示す図である。
【図１２】第２実施形態のケーブル抜け止め器具で、第１板材および第２板材の他端をつまんで接近させた状態を示す図である。
【符号の説明】
【００３７】
１  支柱
２  係止片
３  雄ねじ
４  ねじ頭
５  溝
６  切り欠き部
７  通し穴
８  突起部
９  スペーサー
１０  係止部材
１１  第１板材
１２  第２板材
１３  弾性変形部
１４  ストッパー
２０  差し込みプラグ
２１  ケーブル
２２  コネクタ部
２３  ねじ穴
２４  ケーブル保護部
２５  アウトレット
【図１】
2005093290.tif 000003
【図２】
2005093290.tif 000004
【図３】
2005093290.tif 000005
【図４】
2005093290.tif 000006
【図５】
2005093290.tif 000007
【図６】
2005093290.tif 000008
【図７】
2005093290.tif 000009
【図８】
2005093290.tif 000010
【図９】
2005093290.tif 000011
【図１０】
2005093290.tif 000012
【図１１】
2005093290.tif 000013
【図１２】
2005093290.tif 000014